(57)【特許請求の範囲】
【請求項１】
非磁性体からなるケースと、このケースに一体に埋設されると共に導電体が貫通する貫通空間を有する磁気コアと、前記ケース内に内蔵されて前記磁気コアと接続され前記導電体を流れる電流の検出結果を出力する電流センサユニットとを備えた電流検出装置であって、前記ケースが、底壁の周囲から周壁が形成され、前記底壁の中央部分に導電体圧入固定部が前記周壁と同方向に突設され、該導電体圧入固定部には、前記貫通空間内を貫通し、挿通孔が一方の開口側から他方の開口側に向けて内径が次第に広がるテーパ状に形成され、前記導電体が圧入状態で挿通されて導電体の外周面が全周にわたり接触する矩形断面の挿通孔が前記ケースに一体に形成されていることを特徴とする電流検出装置。
【請求項２】
請求項１に記載の電流検出装置であって、前記磁気コアが前記ケースに対してモールド樹脂で埋設されていることを特徴とする電流検出装置。
【請求項３】
請求項１又は請求項２に記載の電流検出装置が用いられ、ユニット本体にヒュージブルリンクが装着されていると共に、バッテリに接続されるバッテリポスト側端子接続部と、オルタネータ用ケーブルに接続されるオルタネータ側端子接続部と、スタータ用ケーブルに接続されるスタータ側端子接続部とを有し、バッテリに直付けで固定されるヒュージブルリンクユニットであって、
前記バッテリの電流値を検出する電流検出装置を一体に取り付けたことを特徴とするヒュージブルリンクユニット。
【請求項４】
請求項３記載のヒュージブルリンクユニットであって、
前記電流検出装置は、前記オルタネータ用ケーブルの端末端子に装着される装着部を有することを特徴とするヒュージブルリンクユニット。
【請求項５】
請求項４記載のヒュージブルリンクユニットであって、
前記装着部は、前記端末端子が圧入される端子圧入孔であることを特徴とするヒュージブルリンクユニット。
【請求項６】
請求項４又は請求項５記載のヒュージブルリンクユニットであって、
前記電流検出装置には被ロック部を設け、前記ユニット本体にはセンサロック部を設け、このセンサロック部に前記被ロック部がロックされた状態で前記電流検出装置が一体に取り付けられることを特徴とするヒュージブルリンクユニット。
【発明の詳細な説明】
【０００１】
【発明の属する技術分野】
本発明は、磁気コアを有する電流検出装置及びこの電流検出装置が用いられると共に、バッテリに直付けで固定されるヒュージブルリンクユニットに関する。
【０００２】
【従来の技術】
図１１（ａ）、（ｂ）、（ｃ）は、非接触タイプの電流検出装置１００を示す。この電流検出装置１００は、電流が流れる導電体として例えばブスバーが貫通する貫通空間１０１を有し、検出電流を出力する電流センサユニット１０３と、電流センサユニット１０３からの出力信号を外部に取り出すコネクタ部１０４とが一体に形成されている。また、この電流検出装置１００には、相手側への取り付けのための取付脚部１０５、１０５が設けられ、取付孔１０６、１０６を用いてボルト等により固定されている。
【０００３】
ところが、このような電流検出装置１００では、固定するためにボルトが必要で、かつこのボルトを締め付ける作業も必要となる。また、相手側固定部分に取付のためのスペースも必要となる。
【０００４】
これを解決したものとして、特開平８００８０号では、図１２に示すように、ブスバー１０６を楔形の保護部材１０７を介して磁気コア１０８の貫通空間１０９内に挿通させ、ブスバー１０６に電流検出装置１１０を取り付けたものが提案されている。これによって、取付脚部や、ボルトが不要になり、小さな取付スペースで取り付けることができる。
【０００５】
【発明が解決しようとする課題】
しかしながら、上記公報で提案された電流検出装置１１０では、ブスバー１０６に取り付ける際に、楔状の保護部材１０７を必要とし、しかも、ブスバー１０６が直接磁気コア１０８に取り付けられる構成なので、ブスバー１０６に加わる力が直接磁気コア１０８に加わることになり、電流検出における特性が不安定になるおそれがある。
【０００６】
そこで、本発明は、製品の小型化、軽量化ができ、取付スペースを削減することができ、かつ電流検出における安定した特性が得られる電流検出装置の提供と、この電流検出装置が用いられたヒュージブルリンクの提供を目的とする。
【０００７】
【課題を解決するための手段】
上記目的を達成するため、請求項１の発明では、非磁性体からなるケースと、このケースに一体に埋設されると共に導電体が貫通する貫通空間を有する磁気コアと、前記ケース内に内蔵されて前記磁気コアと接続され前記導電体を流れる電流の検出結果を出力する電流センサユニットとを備えた電流検出装置であって、前記ケースが、底壁の周囲から周壁が形成され、前記底壁の中央部分に導電体圧入固定部が前記周壁と同方向に突設され、該導電体圧入固定部には、前記貫通空間内を貫通し、挿通孔が一方の開口側から他方の開口側に向けて内径が次第に広がるテーパ状に形成され、前記導電体が圧入状態で挿通されて導電体の外周面が全周にわたり接触する矩形断面の挿通孔が前記ケースに一体に形成されていることを特徴としています。
【０００８】
請求項１の発明の電流検出装置は、ケースに一体に設けた導電体圧入固定部に導電体を圧入状態で挿通させることにより、導電体に電流検出装置が容易に取り付けられる。また、磁気コアはケースに一体に埋設され、この磁気コアに対して導電体圧入固定部を介して導電体が貫通空間を貫通するので、導電体の加わった力が直接磁気コアに加わることがない。この結果、電流検出における安定した特性を得ることができる。さらに、磁気コア、電流センサユニット、導電体圧入固定部をケースに一体に形成することで、小型化、軽量化が図れてコンパクトにすることができ、これによって取付スペースを削減することができる。
【００１０】
また、挿通孔をテーパ状に形成することで、導電体を挿通孔に圧入状態で挿通させる場合、電流検出装置を導電体の長さ方向に移動させるだけで容易に圧入することができる。
【００１１】
請求項２の発明では、請求項１に記載の電流検出装置であって、
前記磁気コアが前記ケースに対してモールド樹脂で埋設されていることを特徴とする。
【００１２】
請求項２の発明の電流検出装置は、上記請求項１の作用に加えて、磁気コアがケースにモールド樹脂で埋設されているので、圧入状態で挿通孔に挿通された導電体に対してがたつくことなく、導電体を流れる電流を精度良く検出することができる。
【００１３】
請求項３の発明は、請求項１又は請求項２に記載の電流検出装置が用いられ、ユニット本体にヒュージブルリンクが装着されていると共に、バッテリに接続されるバッテリポスト側端子接続部と、オルタネータ用ケーブルに接続されるオルタネータ側端子接続部と、スタータ用ケーブルに接続されるスタータ側端子接続部とを有し、バッテリに直付けで固定されるヒュージブルリンクユニットであって、前記バッテリの電流値を検出する電流検出装置を一体に取り付けたことを特徴とするヒュージブルリンクユニット。
【００１４】
このヒュージブルリンクユニットでは、バッテリの電流値を検出する電流検出装置を一体的に有することから電気接続箱内に電流検出装置を設ける必要がない。
【００１５】
請求項４の発明は、請求項３記載のヒュージブルリンクユニットであって、前記電流検出装置は、前記オルタネータ用ケーブルの端末端子に装着される装着部を有することを特徴とする。
【００１６】
このヒュージブルリンクユニットでは、請求項３の発明の作用に加え、端末端子をオルタネータ側端子接続部に固定することで電流検出装置が共に取り付けられる。
【００１７】
請求項５の発明は、請求項４記載のヒュージブルリンクユニットであって、前記装着部は、前記端末端子が圧入される端子圧入孔であることを特徴とする。
【００１８】
このヒュージブルリンクユニットでは、請求項４の発明の作用に加え、端末端子を圧入するだけで電流検出装置が装着される。
【００１９】
請求項６の発明は、請求項４又は請求項５記載のヒュージブルリンクユニットであって、前記電流検出装置には被ロック部を設け、前記ユニット本体にはセンサロック部を設け、このセンサロック部に前記被ロック部がロックされた状態で前記電流検出装置が一体に取り付けられることを特徴とする。
【００２０】
このヒュージブルリンクユニットでは、請求項４又は請求項５の発明の作用に加え、電流検出装置がユニット本体に直接固定される。
【００２１】
【発明の実施の形態】
以下、本発明の実施形態を図面に基づいて説明する。
【００２２】
＜第１実施形態＞
図１は、本発明の第１実施形態の電流検出装置を示し、図１（ａ）は正面図、図１（ｂ）は図１（ａ）のａ−ａ線に沿って切断した断面図である。また、図２は、図１（ｂ）の一部を拡大した断面図である。
【００２３】
図１（ａ）、図１（ｂ）に示すように、本実施形態の電流検出装置（以下「電流センサ」という）１１１は、非磁性体からなるケース１１２と、このケース１１２に一体に埋設されると共に導電体１１３が貫通する貫通空間１１４を有する磁気コア１１５と、ケース１１２内に内蔵されて磁気コア１１５と接続され導電体１１３を流れる電流の検出結果を出力する電流センサユニット１１６とを備えている。また、本実施形態の電流センサ１１１は、貫通空間１１４内を貫通し導電体１１３が圧入状態で挿通される挿通孔１１７が形成された導電体圧入固定部１１８がケース１１２に一体に形成されている。
【００２４】
ケース１１２は、一面側が開口された箱状のケース本体部１１９と、このケース本体部１１９の一面側から一体に突設されたコネクタ部１２０とが一体形成されて構成されている。ケース本体部１１９は、底壁１２１の周囲から周壁１２２が形成され、底壁１２１の中央部分に上記導電体圧入固定部１１８が周壁１２２と同方向に突設されている。この導電体圧入固定部１１８を囲むように、矩形筒状の磁気コア１１５が周壁１２２と導電体圧入固定部１１８の外周との間の空間１２３内に配置されている。さらに、導電体圧入固定部１１８の外周と周壁１２２との間には、電流センサユニット１１６が配置されている。そして、空間１２３内にモールド樹脂が充填されて、磁気コア１１５及び電流センサユニット１１６がケース本体部１１９に一体に固定されている。また、電流センサユニット１１６の端子１２４は、コネクタ部１２０内に突出されている。
【００２５】
磁気コア１１５は、矩形状で内側に導電体１１３が貫通する貫通空間１１４が形成され、上記したように、この貫通空間１１４内に上記導電体圧入固定部１１８が貫通された状態で空間１２３内に配置され固定されている。この磁気コア１１５に、電流センサユニット１１６の基板１２５が固定されている。
【００２６】
上記導電体圧入固定部１１８は、矩形断面形状で、内側に導電体１１３が挿通される矩形断面の挿通孔１１７が形成されている。この挿通孔１１７は、一方の開口１２６側から他方の開口１２７側に向けて各内壁が傾斜しており、その内径が次第に広がるテーパ状に形成されている。そして、開口１２６側の内径は導電体１１３の厚みより若干短く設定されおり、導電体１１３を圧入状態で挿通できるようになっている。
【００２７】
この電流センサ１１１を導電体１１３に取り付けるには、導電体１１３を挿通孔１１７内に挿入し、開口１２６側に移動させて、開口１２６側で導電体１１３を圧入する（この場合、図１（ｂ）では、紙面左側に移動する）。
【００２８】
本実施形態の電流センサ１１１によれば、ケース１１２に一体に設けた導電体圧入固定部１１８に導電体１１３を圧入状態で挿通させることにより、導電体１１３に電流センサ１１１を容易に取り付けることができる。
【００２９】
また、磁気コア１１５はケース１１２に一体に埋設され、この磁気コア１１５に対して導電体圧入固定部１１８を介して導電体１１３が貫通空間１１４を貫通するので、導電体１１３の加わった力が直接磁気コア１１５に加わることがない。この結果、電流検出における安定した特性を得ることができる。
【００３０】
さらに、磁気コア１１５、電流センサユニット１１６、導電体圧入固定部１１８をケース１１２に一体に形成することで、小型化、軽量化が図れてコンパクトにすることができ、これによって取付スペースを削減することができる。
【００３１】
さらに、挿通孔１１７をテーパ状に形成することで、導電体１１３を挿通孔１１７に圧入状態で挿通させる場合、電流センサ１１１を移動させるだけで容易に圧入することができる。
【００３２】
また、磁気コア１１５がケース１１２にモールド樹脂で埋設されているので、圧入状態で挿通孔１１７に挿通された導電体１１３に対してがたつくことなく、導電体１１３を流れる電流を精度良く検出することができる。
【００３３】
＜第２実施形態＞
図３〜図５は本発明の第２実施形態を示し、図３はヒュージブルリンクユニットの斜視図、図４はヒュージブルリンクユニットの一部破断側面図、図５（ａ）は、第１実施形態の電流検出装置１１１と基本構造が同じ電流検出装置（以下「電流センサ」という）の平面図、図５（ｂ）はその正面図、図５（ｃ）はその底面図、図５（ｄ）は図５（ａ）のＡ−Ａ線断面図、図５（ｅ）は図５（ｂ）のＢ−Ｂ線断面図である。
【００３４】
図１及び図２に示すように、ヒュージブルリンクユニット１Ａは、多数の放熱用リブを有する樹脂製のユニット本体２と、このユニット本体２に内蔵された電気分配用導電部材である複数のブスバー３ａ，３ｂとを有する。ユニット本体２には、４箇所の第１ヒュージブルリンク装着部４と、１箇所の第２ヒュージブルリンク装着部５とが設けられており、各第１ヒュージブルリンク装着部４には第１ヒュージブルリンク（図示せず）が、第２ヒュージブルリンク装着部５には第２ヒュージブルリンク（図示せず）がそれぞれ着脱自在に装着される。
【００３５】
一のブスバー３ａには、その一部を利用してバッテリポスト側端子接続部６とスタータ側端子接続部７がそれぞれ形成されている。バッテリポスト側端子接続部６にはボルト１０とナット（図示せず）によりバッテリ連結部材１１が締結され、このバッテリ連結部１１のポスト締結部１１ａにバッテリ（図示せず）のバッテリポスト（図示せず）が固定される。つまり、ヒュージブルリンクユニット１は、バッテリ連結部材１１を介してバッテリ（図示せず）に直付けで固定されると共にバッテリ（図示せず）のバッテリポスト（図示せず）にバッテリポスト側端子接続部６が電気的に接続されている。スタータ側端子接続部７にはスタータ用ケーブル（図示せず）の端末端子（図示せず）がボルト（図示せず）とナット（図示せず）によって固定される。
【００３６】
他の一のブスバー３ｂには、その一部を利用してオルタネータ側端子接続部１２が形成されており、このオルタネータ側端子接続部１２にはボルト１３とナット（図示せず）によりオルタネータ用ケーブル１４の端末端子１５及び電流センサ１６が固定されている。このオルタネータ用ケーブル１４の端末端子１５と電流センサ１６との固定については、下記に詳述する。
【００３７】
又、ユニット本体２にはコネクタ装着部１７が設けられており、コネクタ装着部１２７内の端子１８は各第１ヒュージブルリンク（図示せず）を介して一のブスバー３ａ、つまり、バッテリポスト側端子接続部６に接続されている。そして、このコネクタ装着部１７には電気接続箱（図示せず）に接続されるコネクタ１９がそれぞれ装着され、電気接続箱（図示せず）で分岐された電源が各種負荷に供給されるようになっている。つまり、バッテリ（図示せず）からの電源は第１ヒュージブルリンク（図示せず）を介して電気接続箱（図示せず）に送られ、電気接続箱（図示せず）より更に各種負荷等に供給される。
【００３８】
次に、オルタネータ用ケーブル１４の端末端子１５と電流センサ１６との固定について詳しく説明する。オルタネータ用ケーブル１４の端末端子１５は、平板状の端子片部１５ａと、この端子片部１５ａより直角方向に折曲された電線かしめ部１５ｂとからなり、端子片部１５ａにはボルト挿入孔１５ｃが形成されている。そして、オルタネータ側端子接続部１２上に端子片部１５ａを載置し、ボルト挿入孔１５ｃとオルタネータ側端子接続部１２に挿入したボルト１３にナット（図示せず）を螺入することによって締結される。電線かしめ部１５ｂにはオルタネータ用ケーブル１４の端部をかしめることによって固定される。
【００３９】
又、電流センサ１６は、非接触式のホール素子型のものであり、図５に詳しく示すように、縦長形状を有する。そして、電流センサ１６の上部には装着部である端子圧入孔２０が形成されており、この端子圧入孔２０にオルタネータ用ケーブル１４の端末端子１５の端子片部１５ａが圧入することによって電流センサ１６が端末端子１５に装着される。そして、電流センサ１６内のホール素子（図示せず）及びコア（図示せず）には、圧入された端末端子１５によって応力が作用しないようになっており、電流センサ１６は端末端子１５を通る電流よりバッテリ（図示せず）の供給電流レベルを検出する。又、電流センサ１６の下部には下方に開口するコネクタ装着部２１が設けられており、このコネクタ装着部２１にセンサ用コネクタ（図示せず）が装着される。このセンサ用コネクタ（図示せず）に接続されたケーブル（図示せず）は、オルタネータ制御部（図示せず）に導かれており、オルタネータ制御部（図示せず）には電流センサ１６の検出信号が供給されるようになっている。オルタネータ制御部（図示せず）は、電流センサ１６の検出レベルが充電開始レベル（所定値）まで落ち込むと、オルタネータ（図示せず）を作動させ、電流センサ１６の検出レベルが充電完了レベルに達するとオルタネータ（図示せず）の作動を停止させる制御を行う。
【００４０】
上記構成において、電流センサ１６の端子圧入孔２０にオルタネータ用ケーブル１４の端末端子１５を圧入し、電流センサ１６を装着した端末端子１５をオルタネータ側端子接続部１２にボルト１３とナット（図示せず）で締結する。これにより、電流センサ１６がヒュージブルリンクユニット１Ａに一体に装着される。そして、電流センサ１６がオルタネータ用ケーブル１４の端末端子１５を通る電流レベルを非接触で検出し、この電流レベルに基づいてオルタネータ（図示せず）が作動され、バッテリ（図示せず）の容量が所定容量以下に落ちないように充電される。
【００４１】
以上、このヒュージブルリンクユニット１Ａでは、バッテリ（図示せず）の電流値を検出する電流センサ１６を一体的に有するため、電気接続箱内に電流センサを設けることに起因する種々の不都合、つまり、電気接続箱の大型化、電気接続箱内の電気分配用導電部材の形状の複雑化、電気接続箱までのケーブル配索の煩雑化等を解消できる。しかも、バッテリ（図示せず）に直付けされるヒュージブルリンクユニット１Ａに電流センサ１６が取り付けされるので、バッテリ（図示せず）の直ぐ近傍に電流センサ１６が配置されるため、精度の高い検出出力が得られる。
【００４２】
又、前記第１実施形態では、電流センサ１６は、オルタネータ用ケーブル１４の端末端子１５に装着される装着部（端子圧入孔２０）を有するので、端末端子１５をオルタネータ側端子接続部１４に固定することで電流センサ１６が共に取り付けられるため、簡単に取り付けできる。特に、電流センサ１６の装着部は、端末端子１５が圧入される端子圧入孔２０であるので、端末端子１５の圧入によって電流センサ１６が装着されるため、より簡単に取り付けできる。
【００４３】
又、前記第１実施形態では、電流センサ１６のホール素子（図示せず）及びコア（図示せず）には、圧入された端末端子１５によって応力が作用しないように構成されているため、安定した検出出力が得られる。
【００４４】
＜第３実施形態＞
図６〜図８は本発明の第３実施形態を示し、図４はヒュージブルリンクユニットの斜視図、図５はヒュージブルリンクユニットの一部破断側面図、図６（ａ）は電流センサの平面図、図６（ｂ）はその正面図、図６（ｃ）はその背面図、図６（ｄ）は図６（ａ）のＣ−Ｃ線断面図、図６（ｅ）は図６（ｂ）のＤ−Ｄ線断面図である。
【００４５】
図６及び図７に示すように、この第２実施形態のヒュージブルリンクユニット１Ｂは、前記第１実施形態のものと比較してオルタネータ用ケーブル１４の端末端子１５及び電流センサ１６の構成が異なり、端末端子１５は、平板状の端子片部１５ａと、この端子片部１５ａより折曲されることなく直線状に延設された電線かしめ部１５ｂとから構成されている。電流センサ１６は、第１実施形態のものと同じく非接触式のホール素子型のものであり、図７に詳しく示すように、縦長形状ではなく横長形状を有している。そして、電流センサ１６の上部に装着部である端子圧入孔２０が形成され、下部に側方に開口するコネクタ装着部２１が設けられている。又、この第２実施形態では、スタータ側端子接続部７に接続されるスタータ用ケーブル（図示せず）の端末端子３０が明示され、この端末端子３０は平板状の端子片部３０ａと、この端子片部３０ａより直線状に延設された電線かしめ部３０ｂとから構成されている。尚、図４中の３１は、スタータ側端子接続部７にスタータ用ケーブル（図示せず）の端末端子３０を固定するためのボルトであり、図５中の３２はバッテリである。他の構成は、前記第１実施形態と同一であるため、同一構成箇所に同一符号を付してその説明を省略する。
【００４６】
この第２実施形態のヒュージブルリンクユニット１Ｂでも、前記第１実施形態と同様に、バッテリ３２の電流値を検出する電流センサ１６を一体的に有するため、電気接続箱内に電流センサを設けることに起因する種々の不都合を解消できる。
【００４７】
＜第４実施形態＞
図９は本発明の第４実施形態のヒュージブルリンクユニットの斜視図である。図９に示すように、この第４実施形態のヒュージブルリンクユニット１Ｃは前記第３実施形態のものと比較してスタータ用ケーブルの端末端子３０の構成が異なり、端末端子３０は、平板状の端子片部１５ａと、この端子片部１５ａより直角に折曲されて延設された電線かしめ部１５ｂとから構成されている。他の構成は、前記第３実施形態と同一であるため、同一構成箇所に同一符号を付してその説明を省略する。
【００４８】
この第４実施形態のヒュージブルリンクユニット１Ｃでも、前記第２実施形態と同様に、バッテリ（図示せず）の電流値を検出する電流センサ１６を一体的に有するため、電気接続箱内に電流センサを設けることに起因する種々の不都合を解消できる。
【００４９】
＜第５実施形態＞
図１０は本発明の第５実施形態のヒュージブルリンクユニットの斜視図である。図１０に示すように、この第５実施形態のヒュージブルリンクユニット１Ｄは前記第４実施形態のものと比較して電流センサ１６と本体ユニット２の構成が異なり、電流センサ１６には被ロック部３４が設けられ、ユニット本体２には被ロック部３４がロックされるセンサロック部３５が設けられている。そして、ユニット本体２のセンサロック部３５に電流センサ１６の被ロック部３４がロックされた状態で電流センサ１６が取り付けられる。つまり、電流センサ１６はオルタネータ用ケーブル１４の端末端子１５に装着され、端末端子１５を介してヒュージブルリンクユニット１Ｄに一体に取り付けされると共に、電流センサ１６の被ロック部３４がユニット本体２のセンサロック部３５に直接ロックされる。他の構成は、前記第４実施形態と同一であるため、同一構成箇所に同一符号を付してその説明を省略する。
【００５０】
この第５実施形態のヒュージブルリンクユニット１Ｄでも、前記第４実施形態と同様に、バッテリ（図示せず）の電流値を検出する電流センサ１６を一体的に有するため、電気接続箱内に電流センサを設けることに起因する種々の不都合を解消できる。
【００５１】
又、前記第５実施形態では、電流センサ１６には被ロック部３４を設け、ユニット本体２にはセンサロック部３５を設け、このセンサロック部３５に被ロック部３４がロックされた状態で電流センサ１６が一体に取り付けられるので、電流センサ１６がユニット本体２にも直接固定されるため、電流センサ１６の端末端子１５への負荷が軽減されると共に電流センサ１６の振動に対する耐久性が向上する。
【００５２】
尚、前記第２実施形態と第３実施形態のヒュージブルリンクユニット１Ａ，１Ｂに、第４実施形態の被ロック部３４とセンサロック部３５を同様に設けても同様な効果が得られる。
【００５３】
尚、前記第２〜第５実施形態では、電流センサ１６は、オルタネータ用ケーブル１４の端末端子１５に装着されることによってヒュージブルリンクユニット１ＡからＤに一体に取り付けられているが、電流センサ１６の取り付け箇所はこれに限定されるものではなく、バッテリの供給電流レベルを検出できる箇所であれば良い。
【００５４】
【発明の効果】
以上説明したように、請求項１の発明によれば、ケースに一体に設けた導電体圧入固定部導電体を圧入状態で挿通させることにより、導電体に電流センサを容易に取り付けられる。また、磁気コアはケースに一体に埋設され、この磁気コアに対して導電体圧入固定部を介して導電体が貫通空間を貫通するので、導電体の加わった力が直接磁気コアに加わることがない。この結果、電流検出における安定した特性を得ることができる。さらに、磁気コア、電流センサユニット、導電体圧入固定部をケースに一体に形成することで、小型化、軽量化が図れてコンパクトにすることができ、これによって取付スペースを削減することができる。また、電線劣化時でもバッテリ近くにセンサがあるので精度良く電流を検出することができる。
【００５５】
加えて、挿通孔をテーパ状に形成することで、導電体を挿通孔に圧入状態で挿通させる場合、電流センサを移動させるだけで容易に圧入することができる。
【００５６】
請求項２の発明によれば、上記請求項１の効果に加えて、磁気コアがケースにモールド樹脂で埋設されているので、圧入状態で挿通孔に挿通された導電体に対してがたつくことなく、導電体を流れる電流を精度良く検出することができる。
【００５７】
請求項３の発明によれば、バッテリポスト側端子接続部とオルタネータ側端子接続部とスタータ側端子接続部とを有し、バッテリに直付けで固定されるヒュージブルリンクユニットであって、バッテリの電流値を検出する電流センサを一体に取り付けたので、バッテリの電流値を検出する電流センサを一体的に有するため、電気接続箱内に電流センサを設けることに起因する種々の不都合、つまり、電気接続箱の大型化、電気接続箱内の電気分配用導電部材の形状の複雑化、電気接続箱までのケーブル配索の煩雑化等を解消できる。
【００５８】
請求項４の発明によれば、請求項３記載のヒュージブルリンクユニットであって、電流センサは、オルタネータ用ケーブルの端末端子に装着される装着部を有するので、請求項３の発明の効果に加え、端末端子をオルタネータ側端子接続部に固定することで電流センサが共に取り付けられるため、簡単に取り付けできる。
【００５９】
請求項５の発明によれば、請求項４記載のヒュージブルリンクユニットであって、装着部は、端末端子が圧入される端子圧入孔であるので、請求項４の発明の効果に加え、端末端子を圧入するだけで電流センサが装着されるため、より簡単に取り付けできる。
【００６０】
請求項６の発明によれば、請求項４又は請求項５記載のヒュージブルリンクユニットであって、電流センサには被ロック部を設け、ユニット本体にはセンサロック部を設けたので、請求項４又は請求項５の発明の効果に加え、電流センサがユニット本体に直接固定されるため、電流センサの端末端子への負荷が軽減されると共に電流センサの振動に対する耐久性が向上する。
【図面の簡単な説明】
【図１】本発明の第１実施形態の電流検出装置を示し、（ａ）は正面図、（ｂ）は（ａ）のｂ−ｂ線に沿って切断した断面図である。
【図２】本発明の第１実施形態を示し、図１（ｂ）の一部を拡大した断面図である。
【図３】本発明の第２実施形態を示し、ヒュージブルリンクユニットの斜視図である。
【図４】本発明の第２実施形態を示し、ヒュージブルリンクユニットの一部破断側面図である。
【図５】本発明の第１実施形態を示し、（ａ）は電流センサの平面図、（ｂ）はその正面図、（ｃ）はその底面図、（ｄ）は図４（ａ）のＡ−Ａ線断面図、（ｅ）は図３（ｂ）のＢ−Ｂ線断面図である。
【図６】本発明の第３実施形態を示し、ヒュージブルリンクユニットの斜視図である。
【図７】本発明の第３実施形態を示し、ヒュージブルリンクユニットの一部破断側面図である。
【図８】本発明の第３実施形態を示し、（ａ）は電流センサの平面図、（ｂ）はその正面図、（ｃ）はその背面図、（ｄ）は図６（ａ）のＣ−Ｃ線断面図、（ｅ）は図６（ｂ）のＤ−Ｄ線断面図である。
【図９】本発明の第４実施形態を示し、ヒュージブルリンクユニットの斜視図である。
【図１０】本発明の第５実施形態を示し、ヒュージブルリンクユニットの斜視図である。
【図１１】従来の電流検出装置を示し、（ａ）は正面図、（ｂ）は側面図、（ｃ）は底面図である。
【図１２】従来の他の電流検出装置を示す斜視図である。
【符号の説明】
１Ａ〜１Ｄ  ヒュージブルリンクユニット
２  ユニット本体
６  バッテリポスト側端子接続部
７  スタータ側端子接続部
１２  オルタネータ側端子接続部
１４  オルタネータ用ケーブル
１５  端末端子
１６  電流センサ
２０  端子圧入孔（装着部）
３４  被ロック部
３５  センサロック部
１１１  電流検出装置（電流センサ）
１１２  ケース
１１３  導電体
１１４  貫通空間
１１５  磁気コア
１１８  導電体圧入固定部
【図１】
0004149698.tif 000002
【図２】
0004149698.tif 000003
【図３】
0004149698.tif 000004
【図４】
0004149698.tif 000005
【図５】
0004149698.tif 000006
【図６】
0004149698.tif 000007
【図７】
0004149698.tif 000008
【図８】
0004149698.tif 000009
【図９】
0004149698.tif 000010
【図１０】
0004149698.tif 000011
【図１１】
0004149698.tif 000012
【図１２】
0004149698.tif 000013